(57)【特許請求の範囲】
【請求項１】
回線交換網及びパケット交換網に接続された端末と、パケット交換網に接続されたファイルサーバとを有する通信システムにおける通信方法であって、
前記端末と通信する基地局又は回線交換機が、前記端末の能力に応じて、回線交換網の規制中のガイダンスを送信するか否かを判断する判断ステップと、
前記端末が、回線交換網の規制を検知する規制検知ステップと、
前記端末が、着側端末にダイヤルした際に回線交換網が規制中である場合、入力された音声メッセージから音声ファイルを生成する音声ファイル生成ステップと、
前記端末が、パケット交換網を介して音声ファイルを前記ファイルサーバにアップロードする音声ファイルアップロードステップと、
前記ファイルサーバが、音声ファイルを受信し、音声ファイル格納部に格納する音声ファイル受信ステップと、
前記端末又は前記ファイルサーバが、音声ファイルの格納場所を前記着側端末に通知する格納場所通知ステップと、
を有する通信方法。
【請求項２】
前記格納場所通知ステップは、前記ファイルサーバが、音声ファイルの格納場所が示されたメッセージを生成し、前記着側端末に送信する、請求項１に記載の通信方法。
【請求項３】
前記格納場所通知ステップは、前記端末が、前記ファイルサーバから音声ファイルの格納場所を取得し、音声ファイルの格納場所が示されたメッセージを生成し、前記着側端末に送信する、請求項１に記載の通信方法。
【請求項４】
前記規制検知ステップは、通信エリア内に一斉同報された規制情報を受信することにより、パケット交換網を介して音声ファイルがアップロードされるネットワーク混雑回避モードに設定する必要があることを検知する、請求項１乃至３のうちいずれか１項に記載の通信方法。
【請求項５】
前記着側端末が、通知された音声ファイルの格納場所から、パケット交換網を介して音声ファイルをダウンロードする音声ファイルダウンロードステップと、
前記着側端末が、音声ファイルを再生する音声ファイル再生ステップと、
前記着側端末又は前記ファイルサーバが、音声ファイルがダウンロード又は再生されたことを前記端末に通知する通知ステップと、
を更に有する、請求項１乃至４のうちいずれか１項に記載の通信方法。
【請求項６】
前記端末が、着側端末にダイヤルした際に回線交換網が規制中である場合、テキストメッセージの入力又は音声メッセージの入力を選択させる選択ステップを更に有し、
前記音声ファイル生成ステップは、音声メッセージの入力が選択された場合に、音声ファイルを生成する、請求項１乃至５のうちいずれか１項に記載の通信方法。
【請求項７】
前記端末がテキストメッセージの入力を選択した場合、前記ファイルサーバが、前記着側端末の属性に応じて、入力されたテキストメッセージを音声メッセージに変換する変換ステップを更に有する、請求項６に記載の通信方法。
【請求項８】
前記端末が、前記端末の状態に応じて、基地局から受信した音声ガイダンスを出力するか否かを判断する判断ステップを更に有する、請求項１乃至７のうちいずれか１項に記載の通信方法。
【請求項９】
回線交換網及びパケット交換網に接続された端末と、パケット交換網に接続されたファイルサーバと、基地局又は回線交換機とを有する通信システムであって、
前記端末は、
回線交換網の規制を検知する規制検知部と、
着側端末にダイヤルした際に回線交換網が規制中である場合、入力された音声メッセージから音声ファイルを生成する音声ファイル生成部と、
パケット交換網を介して音声ファイルを前記ファイルサーバにアップロードする音声ファイルアップロード部と、
を有し、
前記ファイルサーバは、
音声ファイルを受信し、音声ファイル格納部に格納する音声ファイル受信部と、
音声ファイルの格納場所が示されたメッセージを生成するメッセージ生成部と、
生成されたメッセージを前記着側端末に送信するメッセージ送信部と、
を有し、
前記基地局又は回線交換機は、前記端末の能力に応じて、回線交換網の規制中のガイダンスを送信するか否かを判断する判断部を有する通信システム。
【請求項１０】
回線交換網及びパケット交換網に接続された端末と、パケット交換網に接続されたファイルサーバと、基地局又は回線交換機とを有する通信システムであって、
前記端末は、
回線交換網の規制を検知する規制検知部と、
着側端末にダイヤルした際に回線交換網が規制中である場合、入力された音声メッセージから音声ファイルを生成する音声ファイル生成部と、
パケット交換網を介して音声ファイルを前記ファイルサーバにアップロードする音声ファイルアップロード部と、
前記ファイルサーバから音声ファイルの格納場所を取得し、音声ファイルの格納場所が示されたメッセージを生成するメッセージ生成部と、
生成されたメッセージを前記着側端末に送信するメッセージ送信部と、
を有し、
前記ファイルサーバは、
音声ファイルを受信し、音声ファイル格納部に格納する音声ファイル受信部と、
音声ファイルの格納場所を前記端末に通知する格納場所通知部と、
を有し、
前記基地局又は回線交換機は、前記端末の能力に応じて、回線交換網の規制中のガイダンスを送信するか否かを判断する判断部を有する通信システム。
【請求項１１】
前記規制検知部は、通信エリア内に一斉同報された規制情報を受信することにより、パケット交換網を介して音声ファイルがアップロードされるネットワーク混雑回避モードに設定する必要があることを検知する、請求項９又は１０に記載の通信システム。
【請求項１２】
前記着側端末は、
通知された音声ファイルの格納場所から、パケット交換網を介して音声ファイルをダウンロードする音声ファイルダウンロード部と、
音声ファイルを再生する音声ファイル再生部と、
音声ファイルがダウンロード又は再生されたことを前記端末に通知する通知部と、
を更に有する、請求項９乃至１１のうちいずれか１項に記載の通信システム。
【請求項１３】
前記端末は、
着側端末にダイヤルした際に回線交換網が規制中である場合、テキストメッセージの入力又は音声メッセージの入力を選択させる選択部を更に有し、
前記音声ファイル生成部は、音声メッセージの入力が選択された場合に、音声ファイルを生成する、請求項９乃至１２のうちいずれか１項に記載の通信システム。
【請求項１４】
前記ファイルサーバは、
前記端末がテキストメッセージの入力を選択した場合、前記着側端末の属性に応じて、入力されたテキストメッセージを音声メッセージに変換する変換部を更に有する、請求項１３に記載の通信システム。
【請求項１５】
前記端末は、
前記端末の状態に応じて、基地局から受信した音声ガイダンスを出力するか否かを判断する判断部を更に有する、請求項９乃至１４のうちいずれか１項に記載の通信システム。
【発明の詳細な説明】
【技術分野】
【０００１】
本発明は、通信方法、通信システム及びファイルサーバに関する。
【背景技術】
【０００２】
地震などの大規模災害発生時には、多くのユーザが被災地への安否確認などに音声電話を利用する。このとき、通常時と比べ大量のトラヒックをネットワークで処理することになり、結果として通話がつながりにくい状態となるため、通話を規制する（非特許文献１参照）。
【先行技術文献】
【非特許文献】
【０００３】
【非特許文献１】野口勝広他，"FOMAアクセス規制の回線交換／パケット交換分離機能"，NTT DoCoMoテクニカルジャーナル，Vol.14，No.4，41-44ページ
【発明の概要】
【発明が解決しようとする課題】
【０００４】
上記のように、回線交換網の規制中には、発側端末から音声メッセージを着側端末に届けることができない。情報リテラシーの高いユーザは、電子メール等を作成して着側端末に送信することができるが、よりユーザにとって使いやすい方法で音声メッセージを着側端末に届けることが望まれる。
【０００５】
本発明は、回線交換網の規制中であっても、ユーザにとって使いやすい方法で音声メッセージを着側端末に届けることを目的とする。
【課題を解決するための手段】
【０００６】
本発明の通信方法は、
回線交換網及びパケット交換網に接続された端末と、パケット交換網に接続されたファイルサーバとを有する通信システムにおける通信方法であって、
前記端末と通信する基地局又は回線交換機が、前記端末の能力に応じて、回線交換網の規制中のガイダンスを送信するか否かを判断する判断ステップと、
前記端末が、回線交換網の規制を検知する規制検知ステップと、
前記端末が、着側端末にダイヤルした際に回線交換網が規制中である場合、入力された音声メッセージから音声ファイルを生成する音声ファイル生成ステップと、
前記端末が、パケット交換網を介して音声ファイルを前記ファイルサーバにアップロードする音声ファイルアップロードステップと、
前記ファイルサーバが、音声ファイルを受信し、音声ファイル格納部に格納する音声ファイル受信ステップと、
前記端末又は前記ファイルサーバが、音声ファイルの格納場所を前記着側端末に通知する格納場所通知ステップと、
を有することを特徴とする。
【０００７】
また、本発明の通信システムは、
回線交換網及びパケット交換網に接続された端末と、パケット交換網に接続されたファイルサーバと、基地局又は回線交換機とを有する通信システムであって、
前記端末は、
回線交換網の規制を検知する規制検知部と、
着側端末にダイヤルした際に回線交換網が規制中である場合、入力された音声メッセージから音声ファイルを生成する音声ファイル生成部と、
パケット交換網を介して音声ファイルを前記ファイルサーバにアップロードする音声ファイルアップロード部と、
を有し、
前記ファイルサーバは、
音声ファイルを受信し、音声ファイル格納部に格納する音声ファイル受信部と、
音声ファイルの格納場所が示されたメッセージを生成するメッセージ生成部と、
生成されたメッセージを前記着側端末に送信するメッセージ送信部と、
を有し、
前記基地局又は回線交換機は、前記端末の能力に応じて、回線交換網の規制中のガイダンスを送信するか否かを判断する判断部を有することを特徴とする。
【０００８】
また、本発明の通信システムは、
回線交換網及びパケット交換網に接続された端末と、パケット交換網に接続されたファイルサーバと、基地局又は回線交換機とを有する通信システムであって、
前記端末は、
回線交換網の規制を検知する規制検知部と、
着側端末にダイヤルした際に回線交換網が規制中である場合、入力された音声メッセージから音声ファイルを生成する音声ファイル生成部と、
パケット交換網を介して音声ファイルを前記ファイルサーバにアップロードする音声ファイルアップロード部と、
前記ファイルサーバから音声ファイルの格納場所を取得し、音声ファイルの格納場所が示されたメッセージを生成するメッセージ生成部と、
生成されたメッセージを前記着側端末に送信するメッセージ送信部と、
を有し、
前記ファイルサーバは、
音声ファイルを受信し、音声ファイル格納部に格納する音声ファイル受信部と、
音声ファイルの格納場所を前記端末に通知する格納場所通知部と、
を有し、
前記基地局又は回線交換機は、前記端末の能力に応じて、回線交換網の規制中のガイダンスを送信するか否かを判断する判断部を有することを特徴とする。
【発明の効果】
【００１１】
本発明によれば、回線交換網の規制中であっても、ユーザにとって使いやすい方法で音声メッセージを着側端末に届けることが可能になる。
【図面の簡単な説明】
【００１２】
【図１】本発明の実施例に係る通信システムの全体構成図
【図２】本発明の実施例に係る通信システムの機能ブロック図
【図３】本発明の実施例に係る通信方法のシーケンス図
【図４】本発明の実施例に係る通信方法を利用するユーザへのインタフェースの一例を示す図
【図５】本発明の実施例に係る通信方法を利用するユーザへのインタフェースの一例を示す図
【図６】本発明の第１変形例に係る通信システムの全体構成図
【図７】本発明の第１変形例に係る通信システムの機能ブロック図
【図８】本発明の第１変形例に係る通信方法のシーケンス図
【図９】本発明の第２変形例に係る通信システムの全体構成図
【図１０】本発明の第２変形例に係る通信システムの機能ブロック図
【図１１】契約情報格納部に格納される情報の一例を示す図
【図１２】本発明の第２変形例に係る通信方法のシーケンス図
【発明を実施するための形態】
【００１３】
本発明の実施例では、回線交換網及びパケット交換網に接続された端末と、ファイルサーバとが用いられる。
【００１４】
本発明の実施例では、回線交換網の規制中に、発側端末は、音声ファイルを生成し、パケット交換網を介して音声ファイルをファイルサーバにアップロードする。ファイルサーバは、音声ファイルを記憶装置に格納すると、その格納場所をＳＭＳ（Short Message Service）メッセージ等で着側端末に通知する（ファイルアップロード方式（ファイルサーバから着側端末にＳＭＳ送信する場合））。
【００１５】
また、ファイルサーバは、音声ファイルを記憶装置に格納すると、その格納場所を発側端末に通知してもよい。発側端末は、音声ファイルの格納場所をＳＭＳメッセージ等で着側端末に通知する（第１変形例：ファイルアップロード方式（発側端末から着側端末にＳＭＳ送信する場合））。
【００１６】
また、発側端末は、災害用伝言ダイヤル等の特番にダイヤルしてファイルサーバに音声メッセージを録音してもよい。ファイルサーバは、音声メッセージを記憶装置に格納すると、その格納場所を予め指定された宛先の端末に通知する。例えば、契約情報を参照して家族の端末に通知してもよく、予め発側端末のユーザが指定した端末に通知してもよい（第２変形例：ファイルアップロード方式（災害用伝言ダイヤルを使用する場合））。
【００１７】
このようにすることにより、着側端末は、回線交換網の規制中であっても、ＳＭＳメッセージ等で通知された音声ファイルの格納場所にアクセスし、回線交換網を介して音声ファイルをダウンロードして再生できる。
【００１８】
以下、本発明の実施例について、図面を参照して説明する。
【００１９】
＜ファイルアップロード方式（ファイルサーバから着側端末にＳＭＳ送信する場合）＞
図１に、本発明の実施例に係る通信システムの全体構成図を示す。
【００２０】
本発明の実施例で用いられる通信ネットワークは、音声電話やＴＶ電話などの回線交換（ＣＳ：Circuit Switching）呼を処理する回線交換網（ＣＳ網）と、電子メールやＷｅｂブラウジングなどのパケット交換（ＰＳ：Packet Switching）呼を処理するパケット交換網（ＰＳ網）とで構成される。回線交換網の規制と、パケット交換網の規制とは独立して制御可能であり、回線交換網が規制されていても、パケット交換網で通信可能な場合が存在する。なお、回線交換網の規制には、発側の回線交換網へのアクセスが規制中である場合と、着側の回線交換網へのアクセスが規制中である場合とが含まれる。また、規制には、処理可能な呼を規制する総量規制、規制する割合を指定する相対量規制等が含まれる。発側の回線交換網又は着側の回線交換網が規制中である場合、発側端末は、着側端末に回線交換網を介して通信することはできない。
【００２１】
本発明の実施例に係る通信システムは、端末１０及び１４と、ファイルサーバ１２とを有する。端末１０は、回線交換網及びパケット交換網に接続可能な装置である。典型的には、端末１０は、携帯電話、スマートフォン等のような端末であるが、回線交換網及びパケット交換網に接続可能な如何なる装置でもよい。ファイルサーバ１２は、パケット交換網に接続可能な装置であり、音声ファイルを格納する記憶装置を有する。端末１４は、回線交換網及びパケット交換網に接続可能な装置であるが、回線交換網とパケット交換網とのうち一方のみに接続可能な如何なる装置でもよい。典型的には、端末１４は、携帯電話、スマートフォン等のような端末であるが、回線交換網とパケット交換網とのうち一方のみに接続可能な如何なる装置でもよい。以下の説明では、端末１０が発側端末であり、端末１４が着側端末であると仮定する。
【００２２】
発側端末１０は、着側端末の電話番号１４にダイヤルする（Ｓ１１）。ここでは、災害等により、発側の回線交換網又は着側の回線交換網が規制中であり、接続できないものとする。このため、発側端末１０は、音声ガイダンス等により、ユーザに音声メッセージの録音を促す。音声メッセージが入力されると、発側端末１０は、音声ファイルを生成し、パケット交換網を介してファイルサーバ１２にアップロードする（Ｓ１２）。ファイルサーバ１２は、音声ファイルを記憶装置に格納すると、ＳＭＳメッセージにより音声ファイルの格納場所を着側端末１４に通知する（Ｓ１３）。着側端末１４は、音声ファイルの格納場所にアクセスし、音声ファイルをダウンロードして再生する（Ｓ１４）。
【００２３】
このようにして、発側端末１０及び着側端末１４は、発信操作及び着信操作と同様に、ユーザの手間なく自動で音声メッセージを入力及び再生できる。
【００２４】
図２を参照して、発側端末１０、ファイルサーバ１２及び着側端末１４の更に詳細な機能について説明する。
【００２５】
発側端末１０は、通話規制検知部１０１と、音声ファイル生成部１０３と、音声ファイルアップロード部１０５とを有する。ファイルサーバ１２は、音声ファイル受信部１２１と、音声ファイル格納部１２３と、ＳＭＳ生成部１２５と、ＳＭＳ送信部１２７と、音声ファイル送信部１２９とを有する。着側端末１４は、ＳＭＳ受信部１４１と、音声ファイルダウンロード部１４３と、音声ファイル再生部１４５とを有する。発側端末１０及び着側端末１４の各機能部は、コンピュータプログラム又はアプリケーションとして実現されてもよく、ファイルサーバ１２の各機能部も、コンピュータプログラム又はアプリケーションとして実現されてもよい。
【００２６】
通話規制検知部１０１は、発側の回線交換網へのアクセスが規制中であること又は着側の回線交換網へのアクセスが規制中であることを検知する。例えば、回線交換網の交換機は、アクセスが規制中であることを端末に通知するために、エラー原因を指定することができる。通話規制検知部１０１は、着側端末の電話番号にダイヤルして、回線交換網の交換機から通話規制を原因とするエラーを受け取ったときに、規制中であることを検知してもよい。また、通話規制通知部１０１は、報知情報を受信することで規制中であることを検知してもよい。
【００２７】
また、例えば、一斉同報サービス（ＣＢＳ：Cell Broadcast Service）等を利用することにより、一斉同報サーバから通信エリア内に規制情報を送信することができる。回線交換網の交換機から通知されるエラー原因からは、災害を理由とするものであるか、年始の規制を理由とするものであるか等が分からない可能性がある。一斉同報サービスによる規制情報には、規制の原因が災害を理由とするものであるか、年始の規制を理由とするものであるか等を詳細に指定することができる。一斉同報サーバは、被災地からの発信を規制するために、被災地の通信エリアに規制情報を送信してもよく、全国から被災地への発信を規制するために、全国の通信エリアに規制情報を送信してもよい。通話規制検知部１０１は、着側端末の電話番号にダイヤルする前に、一斉同報サーバから規制情報を受信することにより、規制中であることを検知し、ネットワーク混雑回避モードに設定してもよい。ネットワーク混雑回避モードが設定されている間は、ダイヤル操作をして規制された場合に、パケット交換網を使った音声ファイルのアップロードになる。このため、通話規制検知部１０１は、通話規制が解除されていることを検知したり、ネットワーク混雑回避モードを必要としない通話規制状態であることを検知する必要がある。例えば、通話規制検知部１０１は、一斉同報サーバから通話規制が解除されたという情報を受信し、ネットワーク混雑回避モードを解除してもよい。また、通話規制検知部１０１は、一定期間の経過後にネットワーク混雑回避モードを解除するようにタイマを設定しておき、一斉同報サーバから規制情報を受信せずに一定期間が経過した場合、ネットワーク混雑回避モードを解除してもよい。一定期間が経過する前に一斉同報サーバから規制情報を受信した場合、タイマはリセットされる。なお、通信エリア内に規制情報を送信する際に、一斉同報サービス（ＣＢＳ）の代わりに、電話番号を指定して送信するＳＭＳメッセージが利用されてもよい。あるいは、交換機等のネットワーク側の装置が通常モードで動作している場合に、ネットワーク混雑回避モードの端末からネットワークへのアクセスが規制されるようにすることもできる。このような場合には、端末によるアクセスが規制により拒否された回数が所定値を超えた場合又は連続して拒否された回数が所定値を超えた場合に、端末が動作モードをネットワーク混雑回避モードから通常モードへ切り替えてもよい。
【００２８】
音声ファイル生成部１０３は、着側端末１４の電話番号にダイヤルした際に回線交換網の規制中である場合、音声ガイダンス等により、ユーザに音声メッセージの録音を促す。通常では、規制中には回線交換網の交換機から、着側端末に接続できないことを示す音声ガイダンスが流れるが、音声ファイル生成部１０３は、着側端末に接続できないことを示す音声ガイダンスの代わりに、ユーザに音声メッセージの録音を促す音声ガイダンスを流してもよい。ユーザに音声メッセージの録音を促す音声ガイダンスを通常モードでは流さず、ネットワーク混雑回避モードで流すために、着側端末に接続できないことを示す音声ガイダンスをアプリケーションとしての音声ファイル生成部１０３で無音化し、ユーザに音声メッセージの録音を促す音声ガイダンスを流してもよい。あるいは、基地局等のネットワーク側で端末の動作モード（ネットワーク混雑回避モード、通常モード等）を把握しておき、着側端末に接続できないことを示す音声ガイダンスの代わりに、ユーザに音声メッセージの録音を促す音声ガイダンスを流してもよい。このような音声ガイダンスは、端末能力に応じて流すか否かが判断されてもよい。音声ファイル生成部１０３は、入力された音声メッセージから音声ファイルを生成する。音声ファイルのサイズが大きくなるのを防止するため、録音時間は、例えば３０秒のような予め指定した期間に制限される。
【００２９】
音声ファイルアップロード部１０５は、パケット交換網を介して音声ファイルをファイルサーバ１２にアップロードする。例えば、音声ファイルアップロード部１０５は、ＨＴＴＰ（Hyper Text Transfer Protocol）、ＦＴＰ（File Transfer Protocol）等により、音声ファイルをファイルサーバ１２にアップロードする。このとき、音声ファイルアップロード部１０５は、発側端末の電話番号及び着側端末の電話番号を音声ファイルに付与する。
【００３０】
音声ファイル受信部１２１は、発側端末１０からアップロードされた音声ファイルを受信し、音声ファイル格納部１２３に格納する。音声ファイルは、着側端末１４によりアクセス可能な場所に格納される。音声ファイル格納部１２３は、音声ファイルを格納する記憶装置である。
【００３１】
ＳＭＳ生成部１２５は、音声ファイルの格納場所（ＵＲＬ：Uniform Resource Locator）が示されたＳＭＳメッセージを生成する。なお、以下に説明するように、ＳＭＳ生成部１２５は、ＳＭＳメッセージの代わりに、電話番号からメールアドレスを取得し、電子メールメッセージを生成してもよい。
【００３２】
ＳＭＳ送信部１２７は、生成されたＳＭＳメッセージを着側端末１４に送信する。ＳＭＳメッセージの発信元及び宛先は、それぞれ音声ファイルに付与された発側端末の電話番号及び着側端末の電話番号とする。着側端末１４の電源断等の理由でＳＭＳメッセージが着側端末１４に送信できない場合、ＳＭＳ送信部１２７は、ＳＭＳメッセージを再送する。なお、ＳＭＳ送信部１２７は、回線交換網を介してＳＭＳメッセージを送信してもよく、パケット交換網を介して送信してもよい。また、ＳＭＳ送信部１２７は、回線交換網を介してＳＭＳメッセージを送信して送信エラーになった場合、パケット交換網を介して送信してもよく、また、パケット交換網を介してＳＭＳメッセージを送信して送信エラーになった場合、回線交換網を介して送信してもよい。ＳＭＳ送信部１２７は、着側端末１４へのＳＭＳメッセージの送信が成功した場合、ＳＭＳメッセージの送信が終了したことを示すＳＭＳメッセージを生成し、発側端末１０に通知してもよい。ＳＭＳメッセージの送信の終了は、電子メールにより通知されてもよい。
【００３３】
音声ファイル送信部１２９は、着側端末１４から音声ファイルのダウンロード要求を受信すると、パケット交換網を介して音声ファイルを着側端末１４に送信する。着側端末１４への音声ファイルの送信（ダウンロード）が終了した場合、音声ファイルの送信が終了したことを示すＳＭＳメッセージが発側端末１０に通知されてもよい。音声ファイルの送信の終了は、電子メールにより通知されてもよい。
【００３４】
ＳＭＳ受信部１４１は、ファイルサーバ１２から、音声ファイルの格納場所が示されたＳＭＳメッセージを受信する。
【００３５】
音声ファイルダウンロード部１４３は、ファイルサーバ１２の音声ファイルの格納場所にアクセスし、パケット交換網を介して音声ファイルをダウンロードする。例えば、音声ファイルダウンロード部１４３は、一斉同報サーバから規制情報を受信している場合、ＳＭＳメッセージを受信すると、自動的に音声ファイルをダウンロードしてもよい。音声ファイルのダウンロードが終了した場合、音声ファイルのダウンロードが終了したことを示すＳＭＳメッセージが発側端末１０に通知されてもよい。音声ファイルのダウンロードの終了は、電子メールにより通知されてもよい。
【００３６】
音声ファイル再生部１４５は、ダウンロードした音声ファイルを再生する。音声ファイルの再生が終了した場合、音声ファイルの再生が終了したことを示すＳＭＳメッセージ又は電子メールが発側端末１０に通知されてもよい。自動的に音声ファイルがダウンロードされて再生される場合、着側端末１４のユーザが音声ファイルを聞いていないことも考えられる。このような場合、音声ファイル再生部１４５は、ＳＭＳメッセージの受信を着信履歴に残してもよく、音声ファイルをメールボックス等の所定の場所に残してもよく、ユーザからの入力があるまで音声ファイルを再生し続けてもよい。
【００３７】
図３に、本発明の実施例に係る通信方法のシーケンス図を示す。
【００３８】
まず、発側端末１０は、着側端末１４の電話番号にダイヤルする（Ｓ１０１）。回線交換網の交換機から通話規制を受け取ると（Ｓ１０３）、音声メッセージの録音を促す音声ガイダンスが流れる。なお、報知情報により規制情報を受信している場合又は一斉同報サーバから規制情報を受信している場合には、着側端末１４の電話番号にダイヤルして回線交換網の交換機からの通話規制を受け取らなくても、ダイヤル操作したタイミングで音声ガイダンスが流れてもよい。
【００３９】
発側端末１０は、音声メッセージを入力し、音声ファイルを生成する（Ｓ１０５）。発側端末１０は、パケット交換網を介して音声ファイルをファイルサーバ１２にアップロードする（Ｓ１０７、Ｓ１０９）。
【００４０】
ファイルサーバ１２は、発側端末１０からアップロードされた音声ファイルを格納する（Ｓ１１１）。ファイルサーバ１２は、音声ファイルの格納場所が示されたＳＭＳメッセージを着側端末１４に送信する（Ｓ１１３、Ｓ１１５）。ここではＳＭＳメッセージはパケット交換網を介して着側端末１４に送信されているが、ＳＭＳメッセージは回線交換網を介して着側端末１４に送信されてもよい。
【００４１】
着側端末１４は、ファイルサーバ１２からＳＭＳメッセージを受信すると、パケット交換網を介して音声ファイルのダウンロードを要求する（Ｓ１３１、Ｓ１３３）。ファイルサーバ１２は、パケット交換網を介して音声ファイルを着側端末１４に送信する（Ｓ１３５、Ｓ１３７）。着側端末１４は、ダウンロードした音声ファイルを再生する（Ｓ１３９）。音声ファイルのダウンロード又は再生が終了した場合、ＳＭＳメッセージ又は電子メールが着側端末１４又はファイルサーバ１２から発側端末１０に通知されてもよい。
【００４２】
図４に、本発明の実施例に係る通信方法を利用するユーザへのインタフェースの一例を示す。
【００４３】
まず、発側端末１０は、一斉同報サーバ等から規制情報を受信することにより、規制中であることを検知し、ネットワーク混雑回避モードに設定する（１）。このとき、音声ファイルを生成及びアップロードするためのアプリケーション起動ボタンが表示されてもよい。ユーザは、アプリケーション起動ボタンを押下することにより、音声ファイルの生成及びアップロードが可能になる。
【００４４】
発側端末１０は、着側端末１４の電話番号（090-BBBB-BBBB）にダイヤルする（２）。発側の回線交換網又は着側の回線交換網の規制のため（３）、例えば、「ネットワークが混み合って、おつなぎできません。伝えたいことをお話し下さい。」という音声ガイダンスが流れる（４）。発側端末１０は、例えば、「Ａです。無事です。あなたはどう？」という音声メッセージを録音し、所定のボタンを押下すること又は３０秒のような予め指定した期間が経過することで、音声ファイルがファイルサーバ１２にアップロードされる（５）。
【００４５】
図５に、本発明の実施例に係る通信方法を利用するユーザへのインタフェースの一例を示す。
【００４６】
図４のインタフェース例では、規制中には常に音声ファイルがファイルサーバ１２にアップロードされるため、パケット交換網及びファイルサーバ１２の負荷が増えることが想定される。このような場合、端末操作に慣れているユーザには、別の通信手段に誘導することにより、負荷を低減できる。
【００４７】
発側端末１０が着側端末１４の電話番号（090-BBBB-BBBB）にダイヤルし、規制中である場合、例えば、「ただいま電話が混み合っています。画面に従い操作いただければメッセージをお届けいたします。」という音声ガイダンスを流し、発側端末１０の画面に、災害伝言板の選択ボタンと、テキストメッセージ入力開始ボタンと、録音開始ボタンとを表示させる。災害伝言板の選択ボタンを選択したユーザは、災害伝言板のＷＥＢサイトに誘導する。テキストメッセージ入力開始ボタンを選択したユーザには、テキストメッセージをＳＭＳで送信するように誘導する。入力されたテキストメッセージは、ファイルサーバ１２において、着側端末１４の機種又は設定のような属性に応じて音声メッセージに変換されてもよい。録音開始ボタンを選択したユーザは、音声ファイルを生成して、メール添付により音声ファイルを送信するように誘導する。
【００４８】
一方、端末操作に慣れていないユーザには、例えば、「操作がわからない方はそのままお待ち下さい。」という音声ガイダンスを流し、一定時間後、「090-BBBB-BBBB宛のメッセージをお預かりします。発信音の後にメッセージをお話し下さい。」という音声ガイダンスを流す。そして、図４の（５）に示すように、音声ファイルがファイルサーバ１２にアップロードされる。
【００４９】
本発明の実施例では、着側端末１４への通知にＳＭＳメッセージを使用しているが、電子メールを使用してもよい。この場合、ファイルサーバ１２は、電話番号とメールアドレスとを対応付ける変換テーブルを有する。ファイルサーバ１２は、変換テーブルを参照して、音声ファイルに付与された着側の電話番号をメールアドレスに変換し、電子メール着側端末１４に送信してもよい。
【００５０】
更に、ファイルサーバ１２は、着側の回線交換網が規制されていない場合、着側端末に回線交換網を介して発信し、音声ファイルを再生してもよい。これは、着側端末が固定端末である場合にも適用可能である。
【００５１】
また、ファイルサーバ１２が音声ファイルの格納場所が示されたＳＭＳメッセージを送信せずに、音声ファイルをアクセス可能な場所に保存して処理を終了してもよい。この場合、着側端末１４は、ファイルサーバ１２にアクセスし、発側端末１０の電話番号又は着側端末１４の電話番号を用いて音声ファイルを検索し、ダウンロードする。
【００５２】
＜第１変形例：ファイルアップロード方式（発側端末から着側端末にＳＭＳ送信する場合）＞
上記の実施例では、ファイルサーバ１２から着側端末１４に音声ファイルの格納場所が示されたＳＭＳメッセージを送信する場合について説明したが、次に、発側端末１０から着側端末１４に音声ファイルの格納場所が示されたＳＭＳメッセージを送信する場合について説明する。
【００５３】
図６に、本発明の第１変形例に係る通信システムの全体構成図を示す。
【００５４】
図１と同様に、本発明の第１変形例に係る通信システムは、端末１０及び１４と、ファイルサーバ１２とを有する。端末１０は、回線交換網及びパケット交換網に接続可能な装置である。典型的には、端末１０は、携帯電話、スマートフォン等のような端末であるが、回線交換網及びパケット交換網に接続可能な如何なる装置でもよい。ファイルサーバ１２は、パケット交換網に接続可能な装置であり、音声ファイルを格納する記憶装置を有する。端末１４は、回線交換網及びパケット交換網に接続可能な装置であるが、パケット交換網のみに接続可能な如何なる装置でもよい。典型的には、端末１４は、携帯電話、スマートフォン等のような端末であるが、パケット交換網に接続可能な如何なる装置でもよい。以下の説明では、端末１０が発側端末であり、端末１４が着側端末であると仮定する。
【００５５】
発側端末１０は、着側端末１４の電話番号にダイヤルする（Ｓ２１）。ここでは、災害等により、発側の回線交換網又は着側の回線交換網が規制中であり、接続できないものとする。このため、発側端末１０は、音声ガイダンス等により、ユーザに音声メッセージの録音を促す。音声メッセージが入力されると、発側端末１０は、音声ファイルを生成し、パケット交換網を介してファイルサーバ１２にアップロードする（Ｓ２２）。ファイルサーバ１２は、音声ファイルを記憶装置に格納すると、音声ファイルの格納場所を発側端末１０に通知する（Ｓ２３）。発側端末１０は、ＳＭＳメッセージにより音声ファイルの格納場所を着側端末１４に通知する（Ｓ２４）。着側端末１４は、音声ファイルの格納場所にアクセスし、音声ファイルをダウンロードして再生する（Ｓ２５）。
【００５６】
このようにして、発側端末１０及び着側端末１４は、発信操作及び着信操作と同様に、ユーザの手間なく自動で音声メッセージを入力及び再生できる。
【００５７】
図７を参照して、発側端末１０、ファイルサーバ１２及び着側端末１４の更に詳細な機能について説明する。
【００５８】
発側端末１０は、通話規制検知部１０１と、音声ファイル生成部１０３と、音声ファイルアップロード部１０５と、ＳＭＳ生成部１０７と、ＳＭＳ送信部１０９とを有する。ファイルサーバ１２は、音声ファイル受信部１２１と、音声ファイル格納部１２３と、ファイル格納場所通知部１３１と、音声ファイル送信部１２９とを有する。着側端末１４は、ＳＭＳ受信部１４１と、音声ファイルダウンロード部１４３と、音声ファイル再生部１４５とを有する。発側端末１０及び着側端末１４の各機能部は、コンピュータプログラム又はアプリケーションとして実現されてもよく、ファイルサーバ１２の各機能部も、コンピュータプログラム又はアプリケーションとして実現されてもよい。
【００５９】
発側端末１０の通話規制検知部１０１、音声ファイル生成部１０３及び音声ファイルアップロード部１０５は、図２で説明した通りであるため、説明を省略する。
【００６０】
ＳＭＳ生成部１０７は、アップロードした音声ファイルの格納場所を取得する。音声ファイルの格納場所は、ＨＴＴＰ等によりアップロードした結果として、ファイルサーバ１２からＨＴＴＰレスポンスにより通知されてもよく、ファイルサーバ１２からＳＭＳメッセージで通知されてもよい。そして、ＳＭＳ生成部１０７は、音声ファイルの格納場所が示されたＳＭＳメッセージを生成する。
【００６１】
ＳＭＳ送信部１０９は、図２のＳＭＳ送信部１２７で説明した通り、生成されたＳＭＳメッセージを着側端末１４に送信する。ＳＭＳメッセージの発信元及び宛先は、それぞれ音声ファイルに付与された発側端末の電話番号及び着側端末の電話番号とする。
【００６２】
ファイルサーバ１２の音声ファイル受信部１２１、音声ファイル格納部１２３及び音声ファイル送信部１２９は、図２で説明した通りであるため、説明を省略する。
【００６３】
ファイル格納場所通知部１３１は、ＨＴＴＰレスポンス又はＳＭＳメッセージ等により、音声ファイルの格納場所を発側端末１０に通知する。
【００６４】
着側端末１４のＳＭＳ受信部１４１、音声ファイルダウンロード部１４３及び音声ファイル再生部１４５は、図２で説明した通りであるため、説明を省略する。
【００６５】
図８に、第１変形例に係る通信方法のシーケンス図を示す。
【００６６】
ステップＳ２０１〜Ｓ２１１は、図３のステップＳ１０１〜Ｓ１１１と同じである。
【００６７】
ファイルサーバ１２が発側端末１０からアップロードされた音声ファイルを格納すると、ファイルサーバ１２は、音声ファイルの格納場所を発側端末１０に送信する（Ｓ２１３、Ｓ２１５）。
【００６８】
発側端末１０は、音声ファイルの格納場所が示されたＳＭＳメッセージを着側端末１４に送信する（Ｓ２１７、Ｓ２１９、Ｓ２２１）。ここではＳＭＳメッセージはパケット交換網を介して着側端末１４に送信されているが、ＳＭＳメッセージは回線交換網を介して着側端末１４に送信されてもよい。
【００６９】
以降のステップＳ２３１〜Ｓ２３９は、図３のステップＳ１３１〜Ｓ１３９と同じである。
【００７０】
第１変形例においても同様に、図４及び図５に示すようなユーザへのインタフェースを提供できる。
【００７１】
なお、第１変形例は、上記の実施例と分けて記載しているが、これらを組み合わせることも可能である。例えば、上記の実施例によってＳＭＳメッセージが着側端末１４に届かない場合に、第１変形例を使用してもよい。また、例えば、上記の実施例と第１変形例とを併用して、２つのＳＭＳメッセージを着側端末１４に送信してもよい。
【００７２】
更に、第１変形例においても、ＳＭＳメッセージの代わりに電子メールを使用してもよい。この場合、発側端末１０は、電話帳を参照して、着側端末の電話番号をメールアドレスに変換し、電子メールを着側端末１４に送信してもよい。
【００７３】
＜第２変形例：ファイルアップロード方式（災害用伝言ダイヤルを使用する場合）＞
次に、発側端末１０から災害用伝言ダイヤル等の特番にダイヤルしてファイルサーバ１２に音声メッセージを録音する場合について説明する。
【００７４】
図９に、本発明の第２変形例に係る通信システムの全体構成図を示す。
【００７５】
図１と同様に、本発明の第２変形例に係る通信システムは、端末１０及び１４と、ファイルサーバ１２とを有する。端末１０は、回線交換網に接続可能な如何なる装置でもよい。ファイルサーバ１２は、パケット交換網に接続可能な装置であり、音声ファイルを格納する記憶装置を有する。端末１４は、回線交換網及びパケット交換網に接続可能な装置であるが、回線交換網とパケット交換網とのうち一方のみに接続可能な如何なる装置でもよい。典型的には、端末１４は、携帯電話、スマートフォン等のような端末であるが、回線交換網とパケット交換網とのうち一方のみに接続可能な如何なる装置でもよい。以下の説明では、端末１０が発側端末であり、端末１４が音声メッセージを受け取る端末であると仮定する。端末１４は、例えば、契約情報により設定された家族の端末でもよく、予め発側端末１０のユーザが指定した端末でもよい。
【００７６】
発側端末１０は、災害用伝言ダイヤル等の予め指定された特番にダイヤルする（Ｓ３１）。ここでは、災害等により、発側の回線交換網又は着側の回線交換網が規制中であるが、特番には接続できるものとする。特番をダイヤルすることにより、発側端末１０は、モデム等を経由してファイルサーバ１２に接続する。ファイルサーバ１２は、音声ガイダンス等により、ユーザに音声メッセージの録音を促し、音声メッセージを録音する（Ｓ３２）。ファイルサーバ１２は、音声メッセージを音声メッセージとして記憶装置に格納すると、音声ファイルの格納場所を予め設定された端末１４に通知する（Ｓ３３）。端末１４は、音声ファイルの格納場所にアクセスし、音声ファイルをダウンロードして再生する（Ｓ３４）。
【００７７】
なお、図９では、発側端末１０が特番にダイヤルする手順から始まっているが、発側端末１０が端末１４の電話番号（090-BBBB-BBBB）をダイヤルして失敗した場合に、端末１４のユーザだけでなく家族等に音声メッセージを通知するために、ファイルサーバ１２に音声メッセージを録音してもよい。
【００７８】
このようにして、発側端末１０及び着側端末１４は、発信操作及び着信操作と同様に、ユーザの手間なく自動で音声メッセージを入力及び再生できる。
【００７９】
第２変形例は上記の実施例及び第１実施例と組み合わせることも可能である。このような場合、端末１４は、端末１４の電話番号をダイヤルして送信した音声ファイルと、特番をダイヤルして録音した音声ファイルとのどちらからでも、音声ファイルをダウンロードして再生できる。
【００８０】
図１０及び図１１を参照して、発側端末１０、ファイルサーバ１２及び端末１４の更に詳細な機能について説明する。第２変形例で用いられる発側端末１０は、回線交換網を介して通話ができる如何なる端末でもよい。
【００８１】
ファイルサーバ１２は、音声受信部１３３と、音声ファイル格納部１２３と、ＳＭＳ生成部１２５と、ＳＭＳ送信部１２７と、音声ファイル送信部１２９と、契約情報格納部１３５とを有する。端末１４は、ＳＭＳ受信部１４１と、音声ファイルダウンロード部１４３と、音声ファイル再生部１４５とを有する。端末１４の各機能部は、コンピュータプログラム又はアプリケーションとして実現されてもよく、ファイルサーバ１２の各機能部も、コンピュータプログラム又はアプリケーションとして実現されてもよい。
【００８２】
音声受信部１３３は、発側端末１０に音声メッセージの録音を促す音声ガイダンスを流し、音声メッセージを録音する。音声メッセージは、音声ファイルとして、音声ファイル格納部１２３の端末１４によりアクセス可能な場所に格納される。音声ファイル格納部１２３は、音声ファイルを格納する記憶装置である。
【００８３】
ファイルサーバ１２のＳＭＳ生成部１２５及び音声ファイル送信部１２９は、図２で説明した通りであるため、説明を省略する。
【００８４】
ＳＭＳ送信部１２７は、契約情報格納部１３５を参照して、ＳＭＳメッセージの宛先を決定する。図１１に示すように、契約情報格納部１３５には、ＳＭＳメッセージの発信元と宛先とが対応付けて格納されている。契約情報格納部１３５には、発信元電話番号に対して、１つ以上の宛先が対応付けられて格納されている。宛先は、携帯電話の電話番号でもよく、電子メールアドレスでもよく、固定電話の電話番号でもよい。例えば、ＳＭＳメッセージの宛先は、事前に登録された家族の端末のように、発側端末１０と家族間の契約を締結している端末でもよい。この場合、宛先の情報は、家族間の契約情報から生成されてもよい。また、ＳＭＳメッセージの宛先は、発側端末１０により指定された端末でもよい。ＳＭＳメッセージの発信元は、発側端末１０の電話番号とする。ＳＭＳ送信部１２７は、図２のＳＭＳ送信部１２７で説明した通り、生成されたＳＭＳメッセージを事前に登録された家族の端末等の端末１４に送信する。
【００８５】
端末１４のＳＭＳ受信部１４１、音声ファイルダウンロード部１４３及び音声ファイル再生部１４５は、図２で説明した通りであるため、説明を省略する。
【００８６】
図１２に、第２変形例に係る通信方法のシーケンス図を示す。
【００８７】
まず、発側端末１０は、回線交換網を介して災害用伝言ダイヤルの特番にダイヤルする（Ｓ３０１、Ｓ３０３）。ファイルサーバ１２は、発側端末１０に対して音声ガイダンスを流し、音声メッセージの録音を促す（Ｓ３０５、Ｓ３０７）。
【００８８】
発側端末１０のユーザが音声メッセージを伝えると（Ｓ３０９、Ｓ３１１）、音声メッセージは、音声ファイルとしてファイルサーバ１２に格納される（Ｓ３１３）。ファイルサーバ１２は、音声ファイルの格納場所が示されたＳＭＳメッセージを、予め設定された宛先の端末１４に送信する（Ｓ３１５、Ｓ３１７）。ここではＳＭＳメッセージはパケット交換網を介して端末１４に送信されているが、ＳＭＳメッセージは回線交換網を介して端末１４に送信されてもよい。
【００８９】
以降のステップＳ３３１〜Ｓ３３９は、図３のステップＳ１３１〜Ｓ１３９と同じである。
【００９０】
第２変形例では、ＳＭＳメッセージを受信した端末１４がファイルサーバ１２にアクセスして音声ファイルをダウンロードしているが、ＳＭＳメッセージを受信していない端末が、ファイルサーバ１２にアクセスして発側端末１０の電話番号等を入力し、音声ファイルをダウンロードしてもよい。この場合、ファイルサーバ１２は、Ｗｅｂサーバとして機能してもよい。
【００９１】
なお、第２変形例においても、ＳＭＳメッセージの代わりに電子メールを使用してもよい。また、ファイルサーバ１２は、着側の回線交換網が規制されていない場合、着側端末に回線交換網を介して発信し、音声ファイルを再生してもよい。これは、宛先の端末が固定端末である場合にも適用可能である。
【００９２】
説明の便宜上、本発明の実施例に係る装置は機能的なブロック図を用いて説明しているが、本発明の装置は、ハードウェア、ソフトウェア又はそれらの組み合わせで実現されてもよい。また、各機能部が必要に応じて組み合わせて使用されてもよい。
【００９３】
説明の便宜上、本発明の実施例に係る方法は処理の流れを示すフローチャート及びシーケンス図を用いて説明しているが、本発明の方法は、実施例に示す順序と異なる順序で実施されてもよい。
【００９４】
＜実施例の効果＞
本発明の実施例によれば、回線交換網の規制中であっても、ユーザにとって使いやすい方法で音声メッセージを着側端末に届けることが可能になる。発側端末のユーザは、着側端末の電話番号をダイヤルするだけで、音声ファイルをアップロードして着側端末に通知できるため、端末操作に慣れていないユーザにとって容易な方法で、音声メッセージを着側端末に届けることができる。ＳＭＳメッセージが用いられる場合、発側端末及び着側端末において電子メールアドレスの設定が不要となるため、電子メールアドレスのない端末にも、音声メッセージを届けることができる。
【００９５】
また、着側端末においても、格納場所にアクセスするだけで音声ファイルが再生されるため、端末操作に慣れていないユーザにとって容易な方法で、音声メッセージを再生できる。更に、ＳＭＳメッセージを受信すると、端末操作をせずに自動的に音声メッセージを再生することも可能である。
【００９６】
また、一斉同報サービスを使用することにより、被災地だけでなく、全国のユーザの端末をネットワーク混雑回避モードに設定でき、ネットワークの負荷を低減できる。
【００９７】
一方、ネットワーク混雑回避モードであっても、端末操作に慣れているユーザを別の通信手段に誘導することにより、ネットワークの負荷を低減できる。
【００９８】
第１変形例によれば、端末間で直接ＳＭＳメッセージが送信される。異なる事業者をまたがる場合等に、ファイルサーバから端末へのＳＭＳメッセージの送信は許可されていないが、端末間のＳＭＳメッセージの送信は許可されていることがある。このような場合には、第１変形例が有効である。
【００９９】
第２変形例によれば、発側端末は、災害用伝言ダイヤルに電話するだけでよい。すなわち、発側端末への特別なアプリケーションのインストール等の必要がなくなる。
【０１００】
以上、本発明の実施例について説明したが、本発明は、上記の実施例に限定されることなく、特許請求の範囲内において、種々の変更・応用が可能である。
【符号の説明】
【０１０１】
１０、１４  端末
１２        ファイルサーバ
１０１      通話規制検知部
１０３      音声ファイル生成部
１０５      音声ファイルアップロード部
１０７      ＳＭＳ生成部
１０９      ＳＭＳ送信部
１２１      音声ファイル受信部
１２３      音声ファイル格納部
１２５      ＳＭＳ生成部
１２７      ＳＭＳ送信部
１２９      音声ファイル送信部
１３１      ファイル格納場所通知部
１３３      音声受信部
１３５      契約情報格納部
１４１      ＳＭＳ受信部
１４３      音声ファイルダウンロード部
１４５      音声ファイル再生部
【図１】
0005352621.tif 000002
【図２】
0005352621.tif 000003
【図３】
0005352621.tif 000004
【図４】
0005352621.tif 000005
【図５】
0005352621.tif 000006
【図６】
0005352621.tif 000007
【図７】
0005352621.tif 000008
【図８】
0005352621.tif 000009
【図９】
0005352621.tif 000010
【図１０】
0005352621.tif 000011
【図１１】
0005352621.tif 000012
【図１２】
0005352621.tif 000013